(57)【要約】      （修正有）【課題】モータと吸塵器を設え、自動的に黒板を消し、かつ、チョークの粉を吸い取ることができる自動黒板消しを提供する。【解決手段】金属管１４は、細長い黒板消しの内部にあるタンクの底に固定され、タンクとつながる管の下方（比較的細い部分）にかぶせられている。モータ１０により駆動されるウォームホイール１２の中心軸１３は、細長い黒板消しの内部にあるタンクの底の金属管の内部に設置された、金属の棒の中心に固定される。支管１５は、吸塵器の空気吸入管につながっている。ウォームホイール１２の中心軸１３によって、細長い黒板消しが回転する。細長い黒板消しの内部にあるタンクの底に固定された管が回転しても、ウォームホイール１２の中心軸１３を中心とする管１４は回転しない。吸塵器が作動すると、黒板を消す際に生じるチョークの粉が、細長い黒板消しの内部のタンクに吸い込まれ、さらに、管１４と支管１５を通って、集塵器に入る。【選択図】図６
0003156229.tif 000002
【実用新案登録請求の範囲】
【請求項１】
モーターによって、細長い黒板消しが回転する黒板消し。
【請求項２】
黒板を消すのと同時に、チョークの粉を吸い取ることができる黒板消し。
【請求項３】
回転を遅くする装置を設置した、請求項１記載の黒板消し。
【請求項４】
ウォームギアを用いた、回転を遅くする装置のある、請求項３記載の黒板消し。
【請求項５】
黒板を消すのと同時に、チョークの粉も吸い取ることができる、請求項１記載の黒板消し。
【請求項６】
モーターの回転を遅くする装置にあるウォームギアの中のウォームの頂点に、羽根を設置し、その形状が換気扇と同じか、または似ている、請求項４記載の黒板消し。
【請求項７】
黒板を消すのと同時に、チョークの粉も吸い取ることができる、請求項４記載の黒板消し。
【請求項８】
ウォームの頂点に羽根を設置し、その形状が換気扇と同じか、または似ている、請求項７記載の黒板消し。
【請求項９】
吸塵器の吸塵管につながり、吸麈器によってチョークの粉を吸い取る、請求項２記載の黒板消し。
【請求項１０】
吸塵器の吸塵管につながり、吸塵器によってチョークの粉を吸い取る、請求項５記載の黒板消し。
【請求項１１】
細長い黒板消しの内部に吸塵用のタンクを設置し、そのタンクの底の中央にタンクとつながる金属管を設置した、請求項１記載の黒板消し。
【請求項１２】
細長い黒板消しの内部にあるタンクの底の中央に設置された金属管の内部に、その中心軸に垂直になるように金属の棒が設置され、その両端が管壁に固定されている、請求項１１記載の黒板消し。
【請求項１３】
細長い黒板消しの内部にあるタンクの底の中央につながった管の内部に設置された、金属の棒の中心に、モーターの回転軸の頂点が固定された、請求項１２記載の黒板消し。
【請求項１４】
細長い黒板消しの内部にあるタンクの底の中央につながった管の内部に設置された、金属の棒の中心に、モーターの回転を遅くする装置にあるウォームギアの中のウォームホイールの中心軸の頂点が固定された、請求項１２記載の黒板消し。
【請求項１５】
モーターの回転軸を中心とし、細長い黒板消しの内部にあるタンクの底の中央に設置された金属管にかぶせることができるものの、モーターが回転しても回転しない管を、モーターの前部に設置した、請求項１１記載の黒板消し。
【請求項１６】
ウォームホイールの中心軸を中心とし、細長い黒板消しの内部にあるタンクの底の中央に設置された金属管にかぶせることができるものの、モーターが回転しても回転しない管を設置した、請求項１１記載の黒板消し。
【請求項１７】
モーターの回転軸を中心とし、細長い黒板消しの内部にあるタンクの底の中央に設置された金属管にかぶせることができる管に、支管を設置した、請求項１５記載の黒板消し。
【請求項１８】
ウォームホイールの中心軸を中心とし、細長い黒板消しの内部にあるタンクの底の中央に設置された金属管にかぶせることができる管に、支管を設置した、請求項１６記載の黒板消し。
【請求項１９】
ウォームホイールの中心軸を中心とする管の内壁において、支管の分岐口の下側にあたる位置につばを設置した、請求項１８記載の黒板消し。
【請求項２０】
ウォームホイールの中心軸において、その中心軸を中心とする管の内壁にあるつばの上面にあたる位置に、中心軸上の相対する点を円心とする円形の金属片を設置した、請求項１９記載の黒板消し。
【請求項２１】
ウォームギアのカバーに通風孔がある、請求項６記載の黒板消し。
【請求項２２】
モーターによって、通常の黒板消しより長い、細長い黒板消しが回転する、請求項１記載の黒板消し。
【考案の詳細な説明】
【技術分野】
【０００１】  本考案は、黒板消しに関するものである。
【背景技術】
【０００２】  従来型の黒板消しは、自動式ではない。【０００３】  また、従来型の黒板消しは、塵を吸いこむことができない。
【考案の開示】
【考案が解決しようとする課題】
【０００４】  従来型の黒板消しは、自動式ではないので、黒板を消す際、手で黒板消しを持って、少しずつ消していかなければならないため、非常に手間がかかり、骨が折れる。また、時間もかかってしまう。【０００５】  また、従来型の黒板消しは、塵を吸いこむことができないので、黒板を消す際、チョークの粉があたり一面に舞い上がってしまい、非常に不衛生である。【０００６】  本考案は、従来型の黒板消しに存在する、上記の問題を解決することができる。本考案の黒板消しは自動式であり、塵を吸いこむこともできる。
【課題を解決するための手段】
【０００７】  本考案の吸塵式自動黒板消しは、長さが、通常の黒板消しの数倍から十数倍（最大でも、黒板の幅よりは短い）もあり、モーターによって回転する。必要ならば、回転を遅くする装置を、モーターに設置することができる。【０００８】  また、上記の細長い黒板消しには、吸塵装置が設置される。
【考案の効果】
【０００９】  本考案の吸塵式自動黒板消しは、自動で黒板を消すことができる。【００１０】  また、本考案の吸塵式自動黒板消しの本体である、細長い黒板消しは、非常に長く、消す面積が広い。【００１１】  また、本考案の吸塵式自動黒板消しは、黒板を消すのと同時に、塵を吸うこともできる。
【考案を実施するための最良の形態】
【００１２】  実施例１では、長さが、通常の黒板消しの数倍から十数倍（最大でも、黒板の幅よりは短い）ある、細長い黒板消しの内部に、それよりも少し短い金属製タンクを一つ設置する。
金属製タンクの口と、細長い黒板消しの底面（黒板と接触する部分）の間は、ある程度離しておく。そうすれば、黒板を消す際、金属製タンクが黒板に触れる心配がなく、塵も吸いやすい。タンクの底の中心は、黒板消しの中心に合わせる。タンクの底の中央に、金属管を１本設置し、タンクから空気が流れるようにする。金属管の下部の外径（断面の外側の直径）は、上部の外径（断面の外側の直径）よりも小さい。【００１３】  モーターの回転軸を中心として、上述した、タンクとつながった金属管にかぶさる金属管を、モーターの前部に１本設置する。この金属管の下部に、さらに空気が流れる支管を１本設置する。この支管は、吸塵器の空気吸入管につなげることができる。【００１４】  細長い黒板消しの内部にあるタンクの底に設置された管の上方（比較的太い部分）の内部に、管の中心点を通り、その中心軸に垂直になるように、金属の棒を１本設置する。金属の棒の両端は、管壁を貫いた状態で管壁に固定される。モーターの前部に設置された管を、細長い黒板消しの内部にあるタンクの底面に設置された管にかぶせたあと、モーターの回転軸を、前述した、細長い黒板消しの内部にあるタンクの底に設置された管を貫く、金属の棒の中心に固定する。【００１５】  モーターの前部に設置された管は、黒板消しの内部にあるタンクの底面に設置された管にかぶさってはいるものの、この管と一緒に回転することはない。【００１６】  モーター（あるいは、モーターのカバー）の下側に、両手で握るハンドルを設置する。【００１７】  実施例２では、モーターに、回転を遅くする装置を設置する。ウォームギアを用いて、回転を遅くする装置を作成する。【００１８】  細長い黒板消しの内部にあるタンクの底に設置された管の上方（比較的太い部分）の内部に、管の中心点を通り、その中心軸に垂直になるような金属の棒を、１本設置する。金属の棒の両端は、管壁を貫いた状態で管壁に固定される。ウォームホイールの中心軸の頂点を、前述した金属の棒の中心に固定する。ウォームホイールの中心軸によって、細長い黒板消しが回転する。【００１９】  ウォームとモーターの回転軸は、一体になっている。モーターの回転に支障をきたさないように、ウォームギアのカバー（金属カバー）の底には、モーターの回転軸と相対する部分に、円い穴があいている。ウォームギアのカバーの底の相対する部分に、モーターの前部を固定する。【００２０】  ウォームホイールの中心軸を中心として、細長い黒板消しの内部にあるタンクの底に設置された管にかぶせる金属管を、１本設置する。ウォームギアのカバーの上に、あるいは、ウォームギアのカバーと一体になるように、この管を固定する。前述した金属管に、吸塵器の空気吸入管とつなげることができる支管を設置する。また、前述した、細長い黒板消しの内部にあるタンクの底に、ウォームホイールの中心軸を中心として設置された管にかぶせる金属管の内壁において、支管の分岐口の下側にあたる位置に、つばを設置する。さらに、ウォームホイールの中心軸上における、つばの上面にあたる位置に、中心軸上の相対する点を円心とし、直径が管のつばの内径より大きく、かつ、つばの外径より小さい円形の金属片を、ひとつ設置する。管のつばの��面で、円形の金属片がウォームホイールの中心軸と共に回転しても、つばは動かない。【００２１】  モーターのカバーの底に、両手で握るハンドルを設置する。【００２２】  実施例３において、実施例２と同じであるのは以下の部分である。【００２３】  モーターに、回転を遅くする装置を設置する。ウォームギアを用いて、回転を遅くする装置を作成する。細長い黒板消し（長さが、通常の黒板消しの数倍から十数倍ある。ただし、最大でも、黒板の幅よりは短い）の内部にタンクを設置し、その底の中央に金属管を設置する。金属管には、タンクから空気が流れるようにする。金属管の上方に、管の中心点を通り、その中心軸に垂直になるような金属の棒を、１本設置する。金属の棒の両端は、金属管の管壁を貫いた状態で管壁に固定される。ウォームホイールの中心軸の頂点を、この金属の棒の中心に固定する。ウォームホイールの中心軸によって、細長い黒板消しが回転する。【００２４】  また、上述した、細長い黒板消しの内部にあるタンクの底に設置された金属管にかぶせる金属管を、ウォームホイールの中心軸を中心として、１本設置する。ウォームギア（実施例３においては、ウォームの頂点に羽根を設置する）のカバーの上面に、あるいは、ウォームギアのカバーと一体になるように、この金属管の末端を固定する。前述した金属管（ウォームホイールの中心軸を中心とし、細長い黒板消しの内部にあるタンクの底に設置された金属管に、かぶせられた金属管）には、支管を設置する。金属管の内壁において、支管の分岐口の下側にあたる位置に、つばを設置する。ウォームホイールの中心軸において、前述したつばの上面にあたる位置に、中心軸上の相対する点を円心とし、直径が前述した管の内壁上のつばの内径より大きく、かつ、つばの外径（つばのある金属管の断面の内径）より小さい円形の金属片を、ひとつ設置する。円形の金属片がウォームホイールの中心軸と共に回転しても、金属管の内壁上のつばは動かない。モーターのカバーの底に、両手で握るハンドルを設置する。【００２５】  実施例３において、実施例２と異なるのは以下の部分である。【００２６】  ウォームの頂点に羽根を設置する（羽根の形状は、換気扇と同じか、または似ているもの）。羽根の上側に、集塵袋を収納できる、底が網状の筒を設置する。集塵袋を筒に入れる。筒（集塵袋を収納した筒）の底にふちを設置する。ふちで羽根を囲む。羽根の基盤（防風盤）をふちの下面に設置する。【００２７】  また、ウォームホイールの中心軸を中心とし、黒板消しの内部にあるタンクの底に設置された金属管に、かぶせるように設置された金属管の支管を、集塵袋を収納した筒につないで空気が流れるようにする。モーターによって、羽根（換気扇の羽根と同じ、または似た形のもの）が高速回転すると真空状態になり、気流と共にチョークの粉が集塵袋に吸い込まれる。【００２８】  また、集塵袋を収納した筒は、ウォームギアと羽根のカバーの上面にある。カバーの上面が、集塵袋を収納した筒の底と相対する部分に、穴を設置する。穴の大きさは、集塵袋を収納した筒の底の大きさに等しい。
【実施例１】
【００２９】  図１から図５に沿って説明する。１は細長い黒板消しである。２は細長い黒板消しの内部に設置されたタンクである。３はタンクの底に、タンクとつなげて設置された管である。４は金属の棒である。５はタンクの口である。タンクの口５の水平面は、細長い黒板消しの底（黒板を消す際、黒板と接する部分）から、ある程度離しておく。６はモーターである。７はモーターの回転軸である。８はモーターの回転軸を中心とし、細長い黒板消しの内部にあるタンクの底に設置された金属管にかぶさるように、モーターの前部に設置された金属管である。９は支管である。モーターの前部に設置された金属管８は、細長い黒板消しの内部にあるタンクの底に設置された金属管３の、下方（比較的細い部分）にかぶせられる。モーター６の回転軸７は、細長い黒板消しの内部にあるタンクの底に固定された、金属管３の内部に設置された金属の棒４の中心に固定される。支管９は、吸塵器の空気吸入管につながっている。モーター６の回転軸７によって、細長い黒板消し１が回転する。細長い黒板消しの内部にあるタンクの底に設置された金属管３が回転しても、モーターの前部に固定された金属管８は回転しない。吸塵器が作動すると、黒板を消す際に生じるチョークの粉が、気流と共に細長い黒板消し１の内部のタンク２に吸い込まれ、さらに、タンク２の底に設置された管３にかぶせられた金属管８と支管９を通って、集塵器に入る。
【実施例２】
【００３０】  図６から図８に沿って説明する。１０はモーターである。１２はウォームホイールである。１１はウォームである。ウォーム１１は、モーターの回転軸と一体である。ウォームホイール１２とウォーム１１を用いて、モーター１０の回転を遅くする装置を作成する。１３はウォームホイール１２の中心軸である。１４はウォームホイール１２の中心軸を中心とし、細長い黒板消し１の内部にあるタンク２の底に設置された管３の下方（比較的細い部分）にかぶせられた、金属管である。１５は管１４の支管である。１６は金属管１４の内壁に設置された、つばである。１７はウォームホイール１２の中心軸１３に設置された、円形の金属片である。円形の金属片１７が、ウォームホイール１２の中心軸１３と共に回転しても、つば１６は動かない。金属管１４は、細長い黒板消し１の内部にあるタンク２の底に固定され、タンク２とつながる管３の下方（比較的細い部分）にかぶせられている。ウォームホイール１２の中心軸１３は、細長い黒板消し１の内部にあるタンク２の底の金属管３の内部に設置された、金属の棒４の中心に固定される。支管１５は、吸塵器の空気吸入管につながっている。ウォームホイール１２の中心軸１３によって、細長い黒板消し１が回転する。細長い黒板消し１の内部にあるタンク２の底に固定された管３が回転しても、ウォームホイール１２の中心軸１３を中心とする管１４は回転しない。吸塵器が作動すると、黒板を消す際に生じるチョークの粉が、気流と共に細長い黒板消し１の内部のタンク２に吸い込まれ、さらに、タンク２の底に設置された管３にかぶせられた管１４と支管１５を通って、集塵器に入る。【００３１】  １８はウォームホイール１２とウォーム１１のカバーである。１９は通風孔である。２０はモーターのカバーである。２１は両手で握るハンドルである。ホイール１２とウォーム１１のカバー１８の底が、モーターの回転軸と相対する部分に、円形の穴を設置する。
【実施例３】
【００３２】  図９に沿って説明する。２２はモーターである。２３はウォームである。２４はウォームホイールである。２５はウォームホイールの中心軸である。ウォームホイール２４とウォーム２３を用いて、モーター２２の回転を遅くする装置を作成する。２６は羽根である。３０はウォームホイール２４の中心軸２５を中心とし、細長い黒板消し１の内部にあるタンク２の底に設置された管３の下方（比較的細い部分）にかぶせられた、金属管である。３１は支管である。３２は管３０の内壁に設置された、つばである。３３はウォームホイール２４の中心軸２５に設置された、円形の金属片である。円形の金属片３３が、ウォームホイール２４の中心軸２５と共に回転しても、つば３２は動かない。２７は集塵袋を収納した筒である。筒２７の底は網状になっている。２８は集塵袋を収納した筒２７の底にある、ふちである。ふち２８で羽根２６を囲む。羽根２６の防風板（防風盤）は、集塵袋２９を収納した筒２７の底にあるふち２８の下面に、固定することができる。ウォームホイール２４の中心軸２５を中心とした管３０を、細長い黒板消し１の内部にあるタンク２の底に設置された管３にかぶせる。ウォームホイール２４の中心軸２５の頂点は、細長い黒板消し１の内部にあるタンク２の底の管３の内部に設置された、金属の棒４の中心に固定される。ウォームホイール２４の中心軸２５によって、細長い黒板消し１が回転する。細長い黒板消し１の内部にあるタンク２の底に設置された管３が回転しても、ウォームホイール２４の中心軸２５を中心とする管３０は回転しない。モーター２２によって、羽根２６が高速回転すると、真空状態になり、黒板を消す際に生じるチョークの粉が、気流と共に細長い黒板消し１の内部のタンク２に吸い込まれ、さらに、タンク２の底に設置された管３にかぶせられた管３０と支管３１を通って、集塵袋２９に吸い込まれる。【００３３】  ウォームホイール２４とウォーム２３のカバー３４に、通風孔３５を設置する。
【図面の簡単な説明】
【００３４】
【図１】細長い黒板消し
【図２】細長い黒板消しの内部に設置されたタンク
【図３】細長い黒板消しの内部にあるタンクの底に、タンクから空気が流れるように設置された管、および、管の内部に設置された金属の棒の断面図
【図４】細長い黒板消しの底
【図５】モーター、および、モーターの前部に設置された金属管
【図６】本考案の実施例２における、作動原理図
【図７】ウォームホイールの中心軸を中心とする管において、その内壁上のつばがある部分の断面図
【図８】ウォームホイールの中心軸を中心とし、細長い黒板消しの内部にあるタンクの底に設置された金属管にかぶせられた管の内壁にあるつば、および、ウォームホイールの中心軸に固定された円形の金属片の位置に関する略図
【図９】本考案の実施例３における、作動原理図
【符号の説明】
【００３５】      １  細長い黒板消し
２  細長い黒板消しの内部に設置されたタンク
３  細長い黒板消しの底に、タンクから空気が流れるように設置された管
４  金属の棒
５  タンクの口
６  モーター
７  モーターの回転軸
８  モーターの前部に設置された金属管
９  支管
１０  モーター
１１  ウォーム
１２  ウォームホイール
１３  ウォームホイールの中心軸
１４  ウォームホイールの中心軸を中心とし、細長い黒板消しの内部にあるタンクの底に設置された管の下方（比較的細い部分）にかぶせられた金属管
１５  支管
１６  つば
１７  円形の金属片
１８  ウォームギアのカバー
１９  通風孔
２０  モーターのカバー
２１  ハンドル
２２  モーター
２３  ウォーム
２４  ウォームホイール
２５  ウォームホイールの中心軸
２６  羽根
２７  集塵袋を収納した筒
２８  集塵袋を収納した筒の底にあるふち
２９  集塵袋
３０  ウォームホイールの中心軸を中心とし、細長い黒板消しの内部にあるタンクの底に設置された管の下方（比較的細い部分）にかぶせられた金属管
３１  支管
３２  管３０の内壁にあるつば
３３  ウォームホイールの中心軸に設置され、ウォームホイールの中心軸上の相対する点を円心とする、円形の金属片
３４  ウォームギアのカバー
３５  通風孔
３６  モーターのカバー
３７  ハンドル
【図１】
0003156229.tif 000003
【図２】
0003156229.tif 000004
【図３】
0003156229.tif 000005
【図４】
0003156229.tif 000006
【図５】
0003156229.tif 000007
【図６】
0003156229.tif 000008
【図７】
0003156229.tif 000009
【図８】
0003156229.tif 000010
【図９】
0003156229.tif 000011
【手続補正書】
【提出日】平成21年6月8日(2009.6.8)
【手続補正１】
【補正対象書類名】実用新案登録請求の範囲
【補正対象項目名】全文
【補正方法】変更
【補正の内容】
【実用新案登録請求の範囲】
【請求項１】
細長い黒板消し、モーター、吸塵装置などから成る黒板消し。
【請求項２】
細長い黒板消しは、モーターの回転軸の頂点に固定された、請求項１記載の黒板消し。
【請求項３】
モーターの回転を遅くする装置を設置した、請求項１記載の黒板消し。
【請求項４】
モーターの回転を遅くする装置にあるウォームギアを用いた、請求項３記載の黒板消し。
【請求項５】
細長い黒板消しには、吸塵装置が設置された、請求項１記載の黒板消し。
【請求項６】
細長い黒板消しは、ウォームギアの中のウォームホイールの中心軸の頂点に固定された、請求項４記載の黒板消し。
【請求項７】
細長い黒板消しは、長さが、黒板消しの数倍から十数倍もある、請求項１記載の黒板消し。
【請求項８】
細長い黒板消しの内部に吸塵用のタンクを設置し、そのタンクの底の中央にタンクとつながる金属管を設置した、請求項１記載の黒板消し。
【請求項９】
細長い黒板消しの内部にあるタンクの底の中央に設置された金属管の内部に、その中心軸に垂直になるように金属の棒が設置され、その両端が管壁に固定されている、請求項８記載の黒板消し。
【請求項１０】
細長い黒板消しの内部にあるタンクの底の中央につながった管の内部に設置された、金属の棒の中心に、モーターの回転軸の頂点が固定された、請求項９記載の黒板消し。
【請求項１１】
細長い黒板消しの内部にあるタンクの底の中央につながった管の内部に設置された、金属の棒の中心に、モーターの回転を遅くする装置にあるウォームギアの中のウォームホイールの中心軸の頂点が固定された、請求項９記載の黒板消し。
【請求項１２】
モーターの回転軸を中心とし、細長い黒板消しの内部にあるタンクの底の中央に設置された金属管にかぶせることができるものの、モーターが回転しても回転しない管を、モーターの前部に設置した、請求項１０記載の黒板消し。
【請求項１３】
ウォームホイールの中心軸を中心とし、細長い黒板消しの内部にあるタンクの底の中央に設置された金属管にかぶせることができるものの、モーターが回転しても回転しない管を設置した、請求項１１記載の黒板消し。
【請求項１４】
モーターの回転軸を中心とし、細長い黒板消しの内部にあるタンクの底の中央に設置された金属管にかぶせることができる管に、支管を設置した、請求項１２記載の黒板消し。
【請求項１５】
ウォームホイールの中心軸を中心とし、細長い黒板消しの内部にあるタンクの底の中央に設置された金属管にかぶせることができる管に、支管を設置した、請求項１３記載の黒板消し。
【請求項１６】
ウォームホイールの中心軸を中心とする管の内壁において、支管の分岐口の下側にあたる位置につばを設置した、請求項１５記載の黒板消し。
【請求項１７】
ウォームホイールの中心軸において、その中心軸を中心とする管の内壁にあるつばの上面にあたる位置に、中心軸上の相対する点を円心とする円形の金属片を設置した、請求項１６記載の黒板消し。
【請求項１８】
ウォームホイールの中心軸を中心として、細長い黒板消しの内部にあるタンクの底に設置された金属管に、かぶせるように設置された金属管は、ウォームギアのカバーの上に、あるいは、ウォームギアのカバーと一体になるように固定された、請求項１３記載の黒板消し。
【請求項１９】
ウォームギアのカバーに通風孔がある、請求項１８記載の黒板消し。
【請求項２０】
支管は、吸塵器の空気吸入管につながる、請求項１４記載の黒板消し。
【請求項２１】
支管は、吸塵器の空気吸入管につながる、請求項１５記載の黒板消し。
【請求項２２】
ウォームの頂点に羽根を設置し、その形状が換気扇の羽根と同じか、または似ている、請求項１５記載の黒板消し。
【請求項２３】
羽根の上側に、集塵袋を収納できる、底が網状の筒を設置した、請求項２０記載の黒板消し。
【請求項２４】
ウォームホイールの中心軸を中心とし、黒板消しの内部にあるタンクの底に設置された金属管に、かぶせるように設置された金属管の支管を、集塵袋を収納する筒につないで空気が流れるようにした、請求項２３記載の黒板消し。
【手続補正２】
【補正対象書類名】図面
【補正対象項目名】図６
【補正方法】変更
【補正の内容】
【図６】
0003156229.tif 000012
【手続補正書】
【提出日】平成21年9月24日(2009.9.24)
【手続補正１】
【補正対象書類名】実用新案登録請求の範囲
【補正対象項目名】全文
【補正方法】変更
【補正の内容】
【実用新案登録請求の範囲】
【請求項１】
細長い黒板消しと、細長い黒板消しを回転させるモーターと、細長い黒板消しを回転して生じるチョークの粉を吸い取る吸塵装置とを備えて成る黒板消し。
【請求項２】
細長い黒板消しは、モーターの回転軸の頂点に固定された、請求項１記載の黒板消し。
【請求項３】
モーターの回転を遅くする装置を設置した、請求項１記載の黒板消し。
【請求項４】
モーターの回転を遅くする装置にあるウォームギアを用いた、請求項３記載の黒板消し。
【請求項５】
細長い黒板消しには、吸麈装置が設置された、請求項１記載の黒板消し。
【請求項６】
細長い黒板消しは、ウォームギアの中のウォームホイールの中心軸の頂点に固定された、請求項４記載の黒板消し。
【請求項７】
細長い黒板消しは、長さが、黒板消しの数倍から十数倍もある、請求項１記載の黒板消し。
【請求項８】
細長い黒板消しの内部に吸塵用のタンクを設置し、そのタンクの底の中央にタンクとつながる金属管を設置した、請求項１記載の黒板消し。
【請求項９】
細長い黒板消しの内部にあるタンクの底の中央に設置された金属管の内部に、その中心軸に垂直になるように金属の棒が設置され、その両端が管壁に固定されている、請求項８記載の黒板消し。
【請求項１０】
細長い黒板消しの内部にあるタンクの底の中央につながった管の内部に設置された、金属の棒の中心に、モーターの回転軸の頂点が固定された、請求項９記載の黒板消し。
【請求項１１】
細長い黒板消しの内部にあるタンクの底の中央につながった管の内部に設置された、金属の棒の中心に、モーターの回転を遅くする装置にあるウォームギアの中のウォームホイールの中心軸の頂点が固定された、請求項９記載の黒板消し。
【請求項１２】
モーターの回転軸を中心とし、細長い黒板消しの内部にあるタンクの底の中央に設置された金属管にかぶせることができるものの、モーターが回転しても回転しない管を、モーターの前部に設置した、請求項１０記載の黒板消し。
【請求項１３】
ウォームホイールの中心軸を中心とし、細長い黒板消しの内部にあるタンクの底の中央に設置された金属管にかぶせることができるものの、モーターが回転しても回転しない管を設置した、請求項１１記載の黒板消し。
【請求項１４】
モーターの回転軸を中心とし、細長い黒板消しの内部にあるタンクの底の中央に設置された金属管にかぶせることができる管に、支管を設置した、請求項１２記載の黒板消し。
【請求項１５】
ウォームホイールの中心軸を中心とし、細長い黒板消しの内部にあるタンクの底の中央に設置された金属管にかぶせることができる管に、支管を設置した、請求項１３記載の黒板消し。
【請求項１６】
ウォームホイールの中心軸を中心とする管の内壁において、支管の分岐口の下側にあたる位置につばを設置した、請求項１５記載の黒板消し。
【請求項１７】
ウォームホイールの中心軸において、その中心軸を中心とする管の内壁にあるつばの上面にあたる位置に、中心軸上の相対する点を円心とする円形の金属片を設置した、請求項１６記載の黒板消し。
【請求項１８】
ウォームホイールの中心軸を中心として、細長い黒板消しの内部にあるタンクの底に設置された金属管に、かぶせるように設置された金属管は、ウォームギアのカバーの上に、あるいは、ウォームギアのカバーと一体になるように固定された、請求項１３記載の黒板消し。
【請求項１９】
ウォームギアのカバーに通風孔がある、請求項１８記載の黒板消し。
【請求項２０】
支管は、吸塵器の空気吸入管につながる、請求項１４記載の黒板消し。
【請求項２１】
支管は、吸塵器の空気吸入管につながる、請求項１５記載の黒板消し。
【請求項２２】
ウォームの頂点に羽根を設置し、その形状が換気扇の羽根と同じか、または似ている、請求項１５記載の黒板消し。
【請求項２３】
羽根の上側に、集塵袋を収納できる、底が網状の筒を設置した、請求項２０記載の黒板消し。
【請求項２４】
ウォームホイールの中心軸を中心とし、黒板消しの内部にあるタンクの底に設置された金属管に、かぶせるように設置された金属管の支管を、集塵袋を収納する筒につないで空気が流れるようにした、請求項２３記載の黒板消し。